(57)【要約】【課題】ディスプレイ部が操作部に対して可動であり、電界通信を行うトランシーバと電界通信を制御するコンピュータとを内蔵する電界通信兼用の携帯電話機にあって、ユーザが携帯電話機の通常の使用態様である手に持って使用する時に電界通信用の信号電極とグランド電極とに同時に触れる恐れがなく、電界通信性能を十分に発揮させることができる携帯電話機を提供する。【解決手段】本発明は、電界通信を行うトランシーバ１１７と電界通信を制御するコンピュータ１１８とを内蔵し、ディスプレイ部１１１が操作部１１０に対してスライド若しくは回転する可動部となっている携帯電話機１１にあって、電界通信用の信号電極１１３とグランド電極１１４とをディスプレイ部の表面又は内部の互いに電気的に対面する位置に設置してトランシーバに接続した携帯電話機１１を特徴とする。【選択図】      図１
2010081081.tif 000002
【特許請求の範囲】
【請求項１】
電界通信を行うトランシーバと電界通信を制御するコンピュータとを内蔵し、ディスプレイ部が操作部に対して可動である携帯電話機にあって、
電界通信用の信号電極とグランド電極とを前記ディスプレイ部又は操作部のいずれか一方においてその表面又は内部の互いに電気的に対面する位置に設置して前記トランシーバに接続したことを特徴とする携帯電話機。
【請求項２】
前記ディスプレイ部の表面に前記信号電極とグランド電極との一方を設置し、前記ディスプレイの裏面に前記信号電極とグランド電極との他方を設置して前記トランシーバに接続したことを特徴とする請求項１に記載の携帯電話機。
【請求項３】
前記ディスプレイ部の表面に設置した前記信号電極とグランド電極との一方は、透明膜電極であることを特徴とする請求項２に記載の携帯電話機。
【請求項４】
前記ディスプレイ部の表面に設置した前記信号電極とグランド電極との一方は、前記ディスプレイ部のディスプレイの周囲を取り囲む形状の枠状の電極であることを特徴とする請求項２に記載の携帯電話機。
【請求項５】
電界通信を行うトランシーバと電界通信を制御するコンピュータとを内蔵し、ディスプレイ部が操作部に対して可動である携帯電話機にあって、
電界通信用の信号電極とグランド電極とを対向配置し、前記両電極の表裏面を絶縁膜にて被覆して一体化した電界通信用電極ユニットを前記ディスプレイ部又は操作部の内部若しくは裏面に設置し、前記信号電極とグランド電極とを前記トランシーバに接続したことを特徴とする携帯電話機。
【請求項６】
前記信号電極とグランド電極とに、携帯電話用無線信号、携帯電話に内蔵された非接触ＩＣカード等用の無線信号を通過させるスリットを設けたことを特徴とする請求項１〜３、５のいずれかに記載の携帯電話機。
【発明の詳細な説明】
【技術分野】
【０００１】
本発明は、近接した距離で電界伝達媒体を介して電界通信を行う電界通信機能を内蔵した携帯電話機に関する。
【背景技術】
【０００２】
近年、電界通信を行うウェアラブルコンピュータとしてのマイクロチップＣＰＵと電界通信を行うトランシーバとを１枚のカードに組み込んだＩＣカード型の携帯端末が開発されている。特開２００６−８６５８４号公報（特許文献１）にはそのような携帯端末が記載されている。
【０００３】
この従来の携帯端末１０１は、図１５に示すようにユーザ１０２がこれを携帯していれば、ユーザ１０２の体の一部が別の電界通信装置１０３の電界通信電極１０４に触れることで伝送経路１０５が形成され、電界通信を開始し、逆に電界通信電極１０４から離れることで電界通信を終了することができる。
【０００４】
そこで、図１５において、電界通信装置１０３がある部屋の入退出管理装置として、登録されたＩＤの人物しか入退室を許可しないセキュリティサービスを提供するものである場合、次のようにして電界通信技術を利用できる。ユーザ１０２の携帯する携帯端末１０１にはユーザ毎に割当てられたＩＤ番号を登録しておく。そして、電界通信装置１０３の送受信機、少なくともその電界通信電極１０４を出入り口のドア１０６あるいはドアの近くの壁に設置しておき、入室を許可されているユーザ１０２のＩＤ番号が登録されている携帯端末１０１であれば、それを携帯しているユーザがドア１０６若しくは壁の電界通信電極１０４にタッチすると携帯端末１０１と電界通信装置１０３との間で電界通信を行い、ＩＤ認証処理を行い、認証成立すれば電界通信装置１０３がドアロック解除を許可してドアロックを解除させ、当該ユーザ１０２によるドア開操作を可能にしたり、あるいは自動ドアを開動させたりする。
【０００５】
このように、電界通信ができる携帯端末をユーザに携帯させることで、ユーザに何らかのＩＤ入力操作をさせたりセキュリティＩＣカードを読み取り装置に近づけたり挿入させたりする操作を要求することなく、本来のドアノブに触れるだけでドアロックを外してドアを開ける操作、あるいは自動ドアに向かって近づく動作だけでＩＤ照合を自動的に完了させることができる利便さがある。
【０００６】
他方、近年では携帯電話機の普及にはめざましいところがあり、ほとんどの人が携帯するまでになっている。そのため、携帯電話機に電界通信機能を内蔵させれば、ユーザにとっては携帯電話機と電界通信用の携帯端末との２台の携帯機器を同時に携帯する煩わしさから解放される。
【０００７】
ところが、携帯電話機に電界通信機能を内蔵させた場合、携帯電話機はユーザが手に持って使用するものであるので、電界通信用の信号電極とグランド電極とを携帯電話機の表面に露出させておくと、導体であるユーザの手がそれらの電極を同時に触れることが避けられず、その結果として電界通信の性能が十分に発揮させられない問題点がある。
【特許文献１】特開２００６−８６５８４号公報
【発明の開示】
【発明が解決しようとする課題】
【０００８】
本発明は、上述した従来技術の課題に鑑みてなされたもので、折り畳み式、スライド式、ディスプレイ回転式等、ディスプレイ部が操作部に対して可動であり、電界通信を行うトランシーバと電界通信を制御するコンピュータとを内蔵する電界通信兼用の携帯電話機にあって、ユーザが携帯電話機の通常の使用態様である手に持って携帯する時に電界通信用の信号電極とグランド電極とに同時に触れる恐れがなく、電界通信性能を十分に発揮させることができる携帯電話機を提供することを目的とする。
【課題を解決するための手段】
【０００９】
請求項１の発明は、電界通信を行うトランシーバと電界通信を制御するコンピュータとを内蔵し、ディスプレイ部が操作部に対して可動である携帯電話機にあって、電界通信用の信号電極とグランド電極とを前記ディスプレイ部又は操作部のいずれか一方においてその表面又は内部の互いに電気的に対面する位置に設置して前記トランシーバに接続したことを特徴とする携帯電話機である。
【００１０】
請求項２の発明は、請求項１の携帯電話機において、前記ディスプレイ部の表面に前記信号電極とグランド電極との一方を設置し、前記ディスプレイの裏面に前記信号電極とグランド電極との他方を設置して前記トランシーバに接続したことを特徴とする携帯電話機である。
【００１１】
請求項３の発明は、請求項２の携帯電話機において、前記ディスプレイ部の表面に設置した前記信号電極とグランド電極との一方は、透明膜電極であることを特徴とする携帯電話機である。
【００１２】
請求項４の発明は、請求項２の携帯電話機において、前記ディスプレイ部の表面に設置した前記信号電極とグランド電極との一方は、前記ディスプレイ部のディスプレイの周囲を取り囲む形状の枠状の電極であることを特徴とする携帯電話機である。
【００１３】
請求項５の発明は、電界通信を行うトランシーバと電界通信を制御するコンピュータとを内蔵し、ディスプレイ部が操作部に対して可動である携帯電話機にあって、電界通信用の信号電極とグランド電極とを対向配置し、前記両電極の表裏面を絶縁膜にて被覆して一体化した電界通信用電極ユニットを前記ディスプレイ部又は操作部の内部若しくは裏面に設置し、前記信号電極とグランド電極とを前記トランシーバに接続したことを特徴とする携帯電話機である。
【００１４】
請求項６の発明は、請求項１〜３、５の携帯電話機において、前記信号電極とグランド電極とに、携帯電話用無線信号、携帯電話に内蔵された非接触ＩＣカード等用の無線信号を通過させるスリットを設けたことを特徴とする携帯電話機である。
【発明の効果】
【００１５】
本発明によれば、折り畳み式、スライド式、ディスプレイ回転式等、ディスプレイ部が操作部に対して可動であって、電界通信を行うトランシーバと電界通信を制御するコンピュータとを内蔵する電界通信兼用の携帯電話機にあって、ユーザが携帯電話機の通常の使用態様である手に持って携帯する時に電界通信用の信号電極とグランド電極とに同時に触れる恐れがなく、電界通信性能を十分に発揮させることができる。また、ディスプレイ部を操作部からスライドさせ、あるいは回転させた状態であっても信号電極とグランド電極とが常に電気的に対面する位置関係を維持しているので、携帯電話機側の状態の変化によっても電界通信状態は安定させることができる。
【発明を実施するための最良の形態】
【００１６】
以下、本発明の実施の形態を図に基づいて詳説する。
【００１７】
＜第１の実施の形態＞図１は、本発明の第１の実施の形態の電界通信機能を内蔵した折り畳み式の携帯電話機１１の外観を示し、図２はそのブロック図である。図１（ａ）、（ｂ）に示すように、電界通信機能を内蔵した携帯電話機１１は、操作部１１０に対してディスプレイ部１１１が折り畳み開閉回転可能な態様で接続されている。この携帯電話機１１において、ディスプレイ部１１１のディスプレイ面１１２に透明な電界通信用の信号電極又はグランド電極の一方（ここでは信号電極１１３とする）を設置し、ディスプレイ部１１１の背面に信号電極とグランド電極との他方（ここではグランド電極１１４）を設置してあり、これらの電極１１３，１１４は後述するトランシーバと電気的に接続してある。尚、ディスプレイ面１１２に設置する一方の電極としての信号電極１１３は、透明導電シートのような透明電極とし、あるいはディスプレイ面１１２の周囲を取り囲む枠状の導電線にて構成される枠状電極、あるいはこれらの透明電極と枠状電極とを共に設置して１つの信号電極１１３としてもよい。他方、ディスプレイ部１１１の背面に設置される他方の電極としてのグランド電極１１４は導電性シート、枠状電極、金属薄膜等のいずれであってもよい。
【００１８】
このような位置関係で電界通信用の信号電極１１３とグランド電極１１４とを設置することにより、図１（ａ）に示すようにディスプレイ部１１１を折りたたんだ状態でユーザが手で握っても、図１（ｂ）に示すように携帯電話機１１をユーザがその操作部１１０を手に持ってディスプレイ部１１１を開いた状態でも、そのユーザの手が信号電極１１３とグランド電極１１４とに同時に触れてショート状態になることがなく、微弱な電界通信信号での電界通信を可能にする。
【００１９】
図２に示したように、携帯電話機１１の内部には、携帯電話通信のための信号処理と諸機能を司る携帯電話部１１５、電源としての電池１１６に加えて、電界通信機能を司るトランシーバ１１７とコンピュータ（マイコン）１１８が組み込まれていて、電界通信用の信号電極（Ｓ）１１３とグランド電極（Ｇ）１１４はトランシーバ１１７に接続されている。
【００２０】
図３（ａ）〜（ｄ）に示したように、信号電極１１３、グランド電極１１４には、それらが面状である場合には、スリットＳＬａ〜ＳＬｄのような態様にて設けることができる。このスリットＳＬａ〜ＳＬ９ｄは、これらの電極１１３，１１４が携帯電話機１１用の無線信号、携帯電話機１１に内蔵された非接触ＩＣカード等用の無線信号の送受信を阻害しないように設けるものである。このスリットＳＬの態様は、図示のものに限定されない。
【００２１】
次に、図４を用いて、本実施の形態の携帯電話機１１を電界通信端末として、かつＩＤ認証装置として利用し、セキュリティゾーンのドアロック解除を行う場合の電界通信動作について説明する。セキュリティゾーンのドア５の近くの壁に電界通信携帯端末１と電界通信を執り行う相手方の電界通信用トランシーバ６が設置してあり、またコンピュータで構成される制御装置７がこの電界通信用トランシーバ６とＬＡＮのようなネットワークにて接続されている。
【００２２】
電界通信用トランシーバ６は、レーザ光と電気光学結晶を用いた電気光学的手法による信号検出技術を利用していて、送信すべき情報に基づく電界を電界伝達媒体である生体に誘起させ、この誘起した電界を利用して情報の送受信を行うトランシーバである。尚、携帯電話機１１の内部の電界通信用のトランシーバ１１７もこれと同様の内部構成である。
【００２３】
図５に示すように、この電界通信用トランシーバ６は、コンピュータで成る制御装置７からの送信データを入出力（Ｉ／Ｏ）回路６０１を介して受け取ると、この送信データを送信部６０２を介して送受信電極６０３に供給し、該送受信電極６０３及び絶縁膜６０４を介して電界伝達媒体Ａに電界を誘起させ、この電界を電界伝達媒体Ａの他の部位に伝達させる。また、電界伝達媒体Ａに誘起されて伝達されてくる電界を絶縁膜６０４を介して送受信電極６０３で検出し、この電界を電界検出光学部６０５に結合して電気信号に変換する。そして、この電気信号は、信号処理回路６０６で増幅、雑音除去などの信号処理を施され、さらに波形整形回路６０７で波形整形されてから、入出力（Ｉ／Ｏ）回路６０１を介して制御装置７に出力する。
【００２４】
尚、電界通信用トランシーバはここに述べる光学式に限定されるものではなく、電界信号を電気的に増幅して信号処理を行う電気式のものであってもよい。図６は、電気式の電界通信用トランシーバ６’の構成を示している。携帯電話機１１に内蔵のトランシーバ１１７も同様の構成である。トランシーバ６’からコンピュータで成る制御装置７に対して受信データを送る。この受信データは通信相手の携帯電話機１１に内蔵のマイコン１１８が制御装置７に対してトランシーバ１１７と該トランシーバ６’を介して送信したデータを受信して得たデータである。制御装置７からはトランシーバ６’に対して送信データを送り出す。そしてトランシーバ６’はこの送信データを相手方のトランシーバ１１７を介してマイコン１１８に送信する。また制御装置７はデータの送受信を切り替えるためにトランシーバ６’に対して送受信切替信号を送る。
【００２５】
トランシーバ６’には、データ送信するための送信部とデータを受信するための受信部とを備えている。送信部には、送信データを搬送波で変調するための変調回路４０と、その搬送波を出力するための発振器４１を備えている。受信部には、復調信号のＨレベルとＬレベルの反転が起きていないか判定して補正するための補正回路４２と、受信した信号から搬送波を抽出する搬送波再生回路４３と、この搬送波再生回路４３で再生された搬送波と受信した信号とを元に受信データを再生する復調回路４４を備えている。電極６０３は図５を用いて説明した場合と同様に、トランシーバ６’から伝達されたデータを相手方のトランシーバ１１７に電界伝達媒体Ａを介して送信する機能と、相手方のトランシーバ１１７から電界伝達媒体Ａを介して送信されてきたデータを受信する機能とを有している。
【００２６】
制御装置７については、図５の光学式のトランシーバ６、図６の電気式のトランシーバ６’のいずれにしても同様に構成であり、信号送信部７１、制御部７２、ＩＤ記憶部７３、ログ情報記憶部７４を備えている。この制御装置７は後述するＩＤ照合が成立すればセキュリティドア５のドアロックの解除制御を行う。
【００２７】
次に、上記構成の電界通信機能内蔵の携帯電話機１１を利用するセキュリティドアロック解除システムについて説明する。尚、以下の説明では、トランシーバ６、制御装置７を利用する場合について説明するが、トランシーバ６’を利用する場合も同様である。
【００２８】
図４に示したように、セキュリティゾーンのセキュリティドア５に正規のユーザＡが近づいて電界通信用トランシーバ６の電極６０３の部分にタッチすれば、以下のＩＤ照合処理によりセキュリティドア５のドアロックの解除制御が行われる。本実施の形態の電界通信機能内蔵の携帯電話機１１がユーザＡの着衣のポケットに入れられているものとする。ユーザＡが携帯電話機１１を閉じた状態にしてあるいは開いた状態にして手に握っていてもよい。
【００２９】
ユーザＡが電界通信用トランシーバ６の電極６０３に接触することにより、ユーザＡの人体及びトランシーバ６を介してＩＤ信号を制御装置７に送信する。そして、制御装置７は、ＩＤ信号を受信するとＲｅｃｅｉｖｅｄ信号を携帯電話機１１に送信する。そして、携帯電話機１１の内蔵されたトランシーバ１１７がこのＲｅｃｅｉｖｅｄ信号を受信してコンピュータ１１８に転送し、コンピュータ１１８が受信処理してＡｃｔｉｏｎ信号を生成し、トランシーバ１１７と信号電極１１３を通じて制御装置７に送信する。そして、制御装置７は、Ａｃｔｉｏｎ信号を受信すると、ロック解除の制御信号をセキュリティドア５に送信し、セキュリティドア５はドアロックを解除する。
【００３０】
次に、図４の通常処理を、さらに詳しく説明する。図７は通常処理のシーケンス図である。また、図８は携帯電話機１１内蔵の電界通信用のコンピュータ１１８と制御装置７が互いに送受信する各種信号のパケット構成例を示すものである。図８（０）に示すように、パケットの基本構成は携帯電話機１１内蔵の電界通信用のコンピュータ１１８のＩＤ情報と、制御装置７のＩＤ情報と、Ｒｅｃｅｉｖｅｄフラグと、Ａｃｔｉｏｎフラグと、時間情報と、パリティとを有する。
【００３１】
まず、電界通信機能内蔵の携帯電話機１１を携帯するユーザＡは、セキュリティドア５の手前の壁や床などに設置されている電界通信用トランシーバ６の電極６０３及び絶縁膜６０４（以下、「電極６０３等」）に接触する。これにより、携帯電話機１１内の電界通信用のコンピュータ１１８と制御装置７との間で、携帯電話機１１に内蔵の電界通信用のトランシーバ１１７、電界伝達媒体であるユーザＡの人体、及びトランシーバ６を介した通信路が確立される。そして、コンピュータ１１８から図８（１）に示すＩＤ信号を、前記通信路を介して制御装置７に送信する（Ｓ１１）。すなわち、携帯電話機１１に内蔵のコンピュータ１１８はその記憶部に記憶されたＩＤと、パリティとを設定したＩＤ信号を生成して送信する。
【００３２】
そして、制御装置７の信号送信部７１は、ＩＤ信号を受信すると、当該ＩＤ信号のＩＤがＩＤ記憶部７３に記憶された正当なＩＤか否かを判別する（Ｓ１２）。ＩＤ記憶部７３に記憶されたＩＤの場合、信号送信部７１は、図８（２）に示すＲｅｃｅｉｖｅｄ信号を前記通信路を介して携帯電話機１１に送信する（Ｓ１３）。なお、信号送信部７１は、携帯電話機１１から送信されたＩＤ信号のパケットに、当該制御装置７のＩＤ、Ｒｅｃｅｉｖｅｄフラグ及びＩＤ信号の受信時刻を設定し、またパリティを設定したＲｅｃｅｉｖｅｄ信号を生成し、送信する。なお、制御装置７のＩＤは、メモリなどの記憶装置に記憶されているものとする。
【００３３】
Ｒｅｃｅｉｖｅｄフラグは、ＩＤ記憶部７３に記憶された正当なＩＤであることを示すフラグである。ＩＤ記憶部７３に記憶されていない不正なＩＤのＩＤ信号の場合、信号送信部７１は、Ｒｅｃｅｉｖｅｄフラグが設定されていないＲｅｃｅｉｖｅｄ信号を送信するか、あるいは、Ｒｅｃｅｉｖｅｄ信号を送信しないものとする。
【００３４】
そして、携帯電話機１１に内蔵の電界通信用のコンピュータ１１８は、Ｒｅｃｅｉｖｅｄ信号を受信する。コンピュータ１１８は、Ｒｅｃｅｉｖｅｄフラグが設定されたＲｅｃｅｉｖｅｄ信号を受信すると、図８（３）に示すＡｃｔｉｏｎ信号を前記通信路を介して制御装置７に送信する（Ｓ１４）。すなわち、制御装置７から送信されたＲｅｃｅｉｖｅｄ信号のパケットに、Ａｃｔｉｏｎフラグを設定し、またパリティを設定したＡｃｔｉｏｎ信号のパケットを生成して送信する。尚、Ｒｅｃｅｉｖｅｄフラグが設定されていないＲｅｃｅｉｖｅｄ信号を受信した場合、又はＲｅｃｅｉｖｅｄ信号を受信しない場合には、コンピュータ１１８はＡｃｔｉｏｎ信号を送信しない。
【００３５】
そして、制御装置７の制御部７２は、Ａｃｔｉｏｎ信号を受信すると、ドアロック解除の制御信号をセキュリティドア５に送信し、ドアロックを解除させる（Ｓ１５）。また、制御部７２は、受信したＡｃｔｉｏｎ信号のパケットの時刻情報を当該Ａｃｔｉｏｎ信号を受信した時刻に書き換えてパリティを設定したログ情報（図８（４））をログ情報記憶部７４に格納する。
【００３６】
以上説明した通常処理により、制御装置７は、電界通信機能を内蔵した携帯電話機１１を携帯するユーザＡがトランシーバ６に接触することにより、ドアロック解除の制御信号をセキュリティドア５に送信してドアロックを解除させる。
【００３７】
このように、本実施の形態の携帯電話機１１によれば、電界通信機能を内蔵しているので、電界通信端末を携帯電話機１１とは別体にして同時に携帯する場合の違和感をなくすことができ、しかも、携帯電話機１１は日常生活の必須のアイテムとして忘れられることも少ないので、携帯電話機１１とは別体の電界通信端末であれば起こりやすい家での置き忘れ、着替えの際の移し替え忘れで外出時に携帯し忘れするということがなく、携帯電話機としての利便性と共に電界通信端末としての利便性をも十分に発揮させることができる。
【００３８】
また、本実施の形態の携帯電話機１１によれば、ディスプレイ部１１１の表裏面に電界通信用の信号電極１１３、グランド電極１１４を設けているので、携帯電話機１１を折り畳んだ状態でもディスプレイ部１１１を開いた状態でも電極１１３，１１４の対面距離は変わらず、電界通信性能が変化することはなく安定した電界通信ができる利点がある。
【００３９】
また、折り畳み式の携帯電話機１１の場合、折り畳んだ状態ではユーザはディスプレイ部１１１と操作部１１０の背面同士を手に持つことになり、ディスプレイ面１１２の信号電極１１３には手が触れることはなく、両電極１１３，１１４に同時に手を触れることはない。他方、ディスプレイ部１１１を開いた状態では操作部１１０を手に持つことになり、この場合にもディスプレイ部１１１の表裏面の電極１１３，１１４に同時に手を触れることはない。信号電極１１３とグランド電極１１４とにユーザの手が同時に触れると通信性能が十分に発揮できないが、このように本実施の形態の携帯電話機１１の場合には、通常の使用状態でユーザの手が信号電極１１３とグランド電極１１４とに同時に触れることがない配置であるので、安定して信頼性の高い電界通信が行える。
【００４０】
尚、図３に示したように、面状の信号電極１１３、グランド電極１１４に携帯電話用の無線信号、携帯電話に内蔵された非接触ＩＣカード等用の無線信号を通過させるスリットＳＬを設けることにより、携帯電話機１１の本来の無線通信機能を阻害することがない利点がある。
【００４１】
また、図９に示すように、折り畳み式の携帯電話機１１のディスプレイ部１１１の表面に設置する信号電極１１３’は、ディスプレイ面１１２を取り囲む枠状のものとすることができる。この信号電極１１３’に代えて、グランド電極を設置する場合にも枠状のグランド電極１１４’とすることができる。またさらに、枠状電極と図１に示したような透明な面状の電極とを同時に設置することも可能である。
【００４２】
さらに、上記実施の形態は、折り畳み式の携帯電話機１１に対して、それに電界通信機能を内蔵させ、かつ、電界通信用の信号電極１１３、グランド電極１１４を適切な部分に設置したことを特徴としている。しかしながら、携帯電話機の形式は種々見られる。そしてそれぞれのタイプの携帯電話機に対して電極を適切な場所に設置する必要がある。
【００４３】
＜第２の実施の形態＞図１０は、本発明の第２の実施の形態の電界通信機能を内蔵した携帯電話機１１Ａを示している。本実施の形態の携帯電話機１１Ａは、操作部１１０Ａの前面にディスプレイ部１１１Ａがスライド自在になったスライド開閉式のものである。本実施の形態でも、携帯電話機能と共に内蔵される電界通信機能は第１の実施の形態と共通する。ただし、電界通信方式も光学式、電気式が特定されるものではない。
【００４４】
本実施の形態の携帯電話機１１Ａの特徴も電界通信用電極の構成にあり、電界通信用の信号電極とグランド電極との一方である信号電極１１３Ａを透明電極にして、携帯電話機１１Ａのディスプレイ部１１１Ａのディスプレイ面１１２Ａの表面のほぼ一面に設置し、信号電極とグランド電極との他方であるグランド電極１１４Ａをディスプレイ部１１１Ａの背面に設置し、これらの信号電極１１３Ａとグランド電極１１４Ａを第１の実施の形態と同様に携帯電話機１１Ａに内蔵されているトランシーバ１１７に接続した点にある。
【００４５】
本実施の形態の携帯電話機１１Ａにあっても、第１の実施の形態と同様の作用、効果を奏する。また、本実施の形態にあっても第１の実施の形態の場合と同様に図３に例示したような各態様のスリットを電極１１３Ａ，１１４Ａに設けることにより、携帯電話機１１Ａの本来の無線通信機能を阻害することがない利点がある。また、電界通信用の信号電極とグランド電極との一方で、携帯電話機１１Ａのディスプレイ部１１１Ａの表面に設置する電極については、図９に示したように枠状とすることもできる。またさらには、枠状電極と透明な面状の電極とを同時に設置することも可能である。
【００４６】
＜第３の実施の形態＞図１１、図１２は、本発明の第３の実施の形態のスライド部回転開閉式の携帯電話機１１Ｂである。図１２に示したように、このスライド部回転開閉式の携帯電話機１１Ｂは、操作部１１０Ｂの前面に連結されているディスプレイ部１１１Ｂを回転させることで操作部１１０Ｂを現れさせ、番号入力操作ができるようにしたものである。
【００４７】
本実施の形態の携帯電話機１１Ｂでも、携帯電話機能と共に内蔵される電界通信機能は第１の実施の形態と共通する。ただし、電界通信方式も光学式、電気式が特定されるものではない。
【００４８】
本実施の形態の携帯電話機１１Ｂの特徴も電界通信用電極の構成にあり、電界通信用の信号電極とグランド電極との一方である信号電極１１３Ａを透明電極にして、携帯電話機１１Ｂの操作部１１１Ｂの表面のほぼ一面に設置し、電界通信用の信号電極とグランド電極との他方であるグランド電極１１４Ｂをディスプレイ部１１１Ｂの背面、したがって操作部１１０Ｂとディスプレイ部１１１Ｂとの間に設置し、これらの信号電極１１３Ｂとグランド電極１１４Ｂを第１の実施の形態と同様に携帯電話機１１Ｂに内蔵されているトランシーバ１１７に接続した点にある。
【００４９】
本実施の形態の携帯電話機１１Ｂにあっても、第１の実施の形態と同様の作用、効果を奏する。また、本実施の形態にあっても第１の実施の形態の場合と同様に図３に例示したような各態様のスリットを電極１１３Ｂ，１１４Ｂに設けることにより、携帯電話機１１Ｂの本来の無線通信機能を阻害することがない利点がある。
【００５０】
加えて、電界通信用の信号電極とグランド電極との一方で、携帯電話機１１Ａのディスプレイ部１１１Ａの表面に設置する電極については、図９に示したように枠状とすることもできる。またさらには、枠状電極と透明な面状の電極とを同時に設置することも可能である。
【００５１】
＜第４の実施の形態＞図１３、図１４を用いて、本発明の第４の実施の形態の携帯電話機について説明する。本実施の形態の携帯電話機の形状は、上記第１〜第３の実施の形態の携帯電話機のように、折り畳み式、スライド開閉式、ディスプレイ部回転開閉式、ストレート型等のディスプレイ部が操作部に対して可動ないずれの形式であってもよいが、ここでは第１の実施の形態と同様に折り畳み式の携帯電話機１１Ｃとする。そして、携帯電話機１１Ｃの内部に携帯電話機能と共に第１の実施の形態と同様に電界通信機能が備えられている。
【００５２】
そして、この第４の実施の形態の携帯電話機１１Ｃの場合、電界通信機能のための信号電極１１３Ｃとグランド電極１１４Ｃとが扁平な電極ユニット２００に組み込まれていて、この電極ユニット２００を携帯電話機１１Ｃのディスプレイ部１１１Ｃの背面に設置している。本実施の形態の場合、電極ユニット２００の設置場所は携帯電話機１１Ｃの操作部１１０Ｃの背面であってもよい。
【００５３】
図１４に示すように、この電極ユニット２００は、平坦面状の信号電極１１３Ｃとグラント電極１１４Ｃとを対向配置し、それぞれを絶縁樹脂２０１，２０２にて薄く被覆し、また信号電極１１３Ｃとグラント電極１１４Ｃそれぞれからリード線２０３，２０４を演出させた構造であり、そしてこれらの電極１１３Ｃ，１１４Ｃを第１の実施の形態と同様に携帯電話機１１Ｃに内蔵されているトランシーバ１１７にリード線２０３，２０４にて接続する。
【００５４】
本実施の形態の場合にも、第１の実施の形態と同様の作用、効果を奏する。加えて、電極ユニット２００としてユニット化したことにより、信号電極、グランド電極を別々に所定の場所に設置する必要がなく、一体ものとして一箇所に設置すればよいので、製造工程の単純化が図れる。
【００５５】
＜その他の実施の形態＞
以上、本発明の実施の形態について説明してきたが、本発明の要旨を逸脱しない範囲において、本発明の実施の形態に対して種々の変形や変更を施すことができる。例えば、上記の各実施の形態において、電界通信用の信号電極、グランド電極の設置場所は入れ替えることができる。また、電界通信用の信号電極、グランド電極を操作部の表裏面に設置することもできる。さらに、携帯電話機のディスプレイ部、操作部のいずれか一方において、上記信号電極、グランド電極のいずれか一方は表面に、他方は内部に設置することも可能であり、さらには両電極を共に内部に設置することも可能である。また、電界通信方式は光学式、電気式のいずれでもよく、特定されるものではない。
【００５６】
また、上記の実施の形態では、自動ドアやオートロックドアの開閉にＩＤ番号を利用する電界通信技術について例示したが、これに限らず、例えば、プリンタ側に設置されている電界通信電極に携帯電話機を携帯しているユーザがタッチすれば、その携帯電話機に登録されているＩＤ番号にて該当ユーザのドキュメントを指定してプリントアウトする文書印刷システムに適用することもできる。
【図面の簡単な説明】
【００５７】
【図１】図１（ａ），（ｂ）は、本発明の第１の実施の形態の携帯電話機の折り畳み状態の側面図及び展開状態の側面図。
【図２】図２は、上記実施の形態の携帯電話機の回路ブロック図。
【図３】図３（ａ）〜（ｄ）は、上記実施の形態の携帯電話機において使用する電界通信用の信号電極、グランド電極のスリットの変形例を示す説明図。
【図４】図４は、上記実施の形態の携帯電話機を使用するセキュリティドアのドアロック解除に利用する使用態様を説明する説明図。
【図５】図５は、上記実施の形態の携帯電話機と電界通信を行い、セキュリティドアのドアロック解除制御を行う光学式のトランシーバ及び制御装置のブロック図。
【図６】図６は、上記実施の形態の携帯電話機と電界通信を行い、セキュリティドアのドアロック解除制御を行う電気式のトランシーバ及び制御装置のブロック図。
【図７】図７は、上記実施の形態の携帯電話機とセキュリティドアのドアロック解除制御のために電界通信を行うトランシーバ及び制御装置との間の通常動作のシーケンス図。
【図８】図８は、上記実施の形態の携帯電話機とセキュリティドアのドアロック解除制御のために電界通信を行うトランシーバ及び制御装置との間の通常動作時に用いる各種信号のパケット構成図。
【図９】図９は、本発明の第１の実施の形態の折り畳み式の携帯電話機において電界通信用の電極として枠状のものを設置した変形例を示す正面図。
【図１０】図１０（ａ），（ｂ）は、本発明の第２の実施の形態のスライド開閉式の携帯電話機の収納状態、引き出し状態それぞれの側面図。
【図１１】図１１（ａ），（ｂ）は、本発明の第３の実施の形態のディスプレイ部回転開閉式の携帯電話機の収納状態、回転展開状態それぞれの側面図。
【図１２】図１２は、上記第３の実施の形態の携帯電話機の使用方法の説明図。
【図１３】図１３は、本発明の第４の実施の形態の携帯電話機の折り畳み状態の側面図及び展開状態の側面図。
【図１４】図１４は、上記実施の形態の携帯電話機にて使用する電極ユニットの断面図。
【図１５】図１５は、従来の電界通信システムの説明図。
【符号の説明】
【００５８】
５  セキュリティドア
６  トランシーバ
７  制御装置（コンピュータ）
１１，１１’，１１Ａ，１１Ｂ，１１Ｃ  携帯電話機
１１０，１１０Ａ，１１０Ｂ，１１０Ｃ  操作部
１１１，１１１Ａ，１１１Ｂ，１１１Ｃ  ディスプレイ部
１１２，１１２Ａ，１１２Ｂ，１１２Ｃ  ディスプレイ面
１１３,１１３’，１１３Ａ，１１３Ｂ，１１３Ｃ  信号電極
１１４,１１４’，１１４Ａ，１１４Ｂ，１１４Ｃ  グランド電極
１１５  携帯電話部
１１６  電池
１１７  トランシーバ
１１８  コンピュータ
２００  電極ユニット
Ａ  ユーザ
ＳＬａ〜ＳＬｄ  スリット
【図１】
2010081081.tif 000003
【図２】
2010081081.tif 000004
【図３】
2010081081.tif 000005
【図４】
2010081081.tif 000006
【図５】
2010081081.tif 000007
【図６】
2010081081.tif 000008
【図７】
2010081081.tif 000009
【図８】
2010081081.tif 000010
【図９】
2010081081.tif 000011
【図１０】
2010081081.tif 000012
【図１１】
2010081081.tif 000013
【図１２】
2010081081.tif 000014
【図１３】
2010081081.tif 000015
【図１４】
2010081081.tif 000016
【図１５】
2010081081.tif 000017